(57)【要約】【課題】低損失、低コストで、組立て、保守が容易な無線装置及びアンテナ共用器を提供する。【解決手段】筐体とアンテナ共用器を備え、前記アンテナ共用器を通じて外部のアンテナに接続する無線装置において、アンテナ共用器は、少なくとも１つのアンテナで無線の送受を共用するための送信用帯域通過フィルタ１０１及び受信用帯域通過フィルタ１０２と、外付けＬＮＡを使用するときのためのスルー１０４〜１０５と、これらのアンテナ共用手段を１つに収納するシールドケース１１０と、アンテナなど無線装置外部に接続するための第１コネクタ１２０〜１２４と、無線装置内部に接続するための第２コネクタを備えると共に、前記筐体の中に固定され、第１コネクタは、前記シールドケースの１つの面（下側）に設置され、第２コネクタは、前記１つの面以外の箇所（上側）に設置され、筐体は、第１コネクタを無線装置の外部に露出させる開口部を備える。【選択図】図２
2004235840.tif 000002
【特許請求の範囲】
【請求項１】
筐体とアンテナ共用器を備え、前記アンテナ共用器を通じて外部のアンテナに接続する無線装置において、
前記アンテナ共用器は、アンテナ共用機能部と、前記アンテナ共用機能部を１つに収納するシールドケースと、前記アンテナに接続するための第１コネクタと、前記無線装置に接続するための第２コネクタを備えると共に、前記筐体の中に固定され、
前記第１コネクタは、前記シールドケースの１つの面に設置され、
前記第２コネクタは、前記１つの面以外の箇所に設置され、
前記筐体は、前記第１コネクタを前記筐体の外部に露出させる開口部を備えることを特徴とする無線装置。
【請求項２】
前記無線装置は複数のアンテナに接続され、
前記アンテナ共用器は、前記複数のアンテナの全てに前記開口部から露出した第１コネクタを介して接続されると共に、前記アンテナ共用機能部として少なくとも１つのアンテナで無線の送受を共用するための送信用帯域通過フィルタ及び受信用帯域通過フィルタを備え、
前記第１コネクタは、前記開口部から突出していることを特徴とする請求項１記載の無線装置。
【請求項３】
１つ或いは複数のアンテナで無線の送受を共用するために無線装置に搭載されるアンテナ共用器において、
アンテナ共用手段と、スルー手段と、前記アンテナ共用手段及び前記スルー手段を１つに収納するシールドケースと、前記アンテナに接続するための第１コネクタと、前記無線装置に接続するための第２コネクタと、を備え、
前記スルー手段は前記第１及び第２コネクタを直結し、前記第１コネクタは、前記シールドケースの１つの面に設置され、前記第２コネクタは、前記１つの面以外の箇所に設置されることを特徴とするアンテナ共用器。
【発明の詳細な説明】
【０００１】
【発明の属する技術分野】本発明は送信と受信でアンテナを共用する無線装置及びそのためのアンテナ共用器に関し、特に外部に備えたアンテナにケーブルで給電する無線装置用のアンテナ共用器に関する。
【０００２】
【従来の技術】従来技術として、ユニット化された基地局用アンテナ共用器が知られる（例えば特許文献１）。特許文献１の基地局用通信装置は、デュプレクサとして機能する各種フィルタやＬＮＡ（低雑音増幅器）を備え、それらはシャーシ、前面板、蓋よりなるシールドケースに納められ１つのユニットを形成している。
【０００３】この基地局用通信装置において、アンテナ、基地局の送信部、受信部へ接続するための同軸コネクタは、前期各種フィルタ若しくはＬＮＡが備えるコネクタが、前記前面板に穿設された穴からシールドケース外に露出したものである。
【０００４】このほか、移動体通信機用のアンテナ共用器が一体化されたものがある（例えば特許文献２）。
【０００５】
【特許文献１】特開２００２−２６１５１１号公報（第５−６頁、第９−１０図）
【特許文献２】特開２００２−２０８８７３号公報
【０００６】
【発明が解決しようとする課題】上記の従来のアンテナ共用器では、無線基地局装置として機能する一式と共に筐体内に収めた場合、筐体外部（通常屋外）のアンテナと、筐体内部の無線受信部、無線送信部とへ接続するためのコネクタが、アンテナ共用器の同じ面（例えば前面板）に設置されているために、ケーブルの配線が込み入って筐体内に多くのスペースが必要となるほか、通常触れる必要のない配線と保守交換が必要な配線とが隣接することから、保守性、信頼性が低下する問題があった。或いはアンテナに接続するためのコネクタのみ筐体外部に取り出そうとすると、構造の複雑化、部品点数の増加、中継配線による損失の増加などの問題があった。
【０００７】本発明の目的は、組立て、保守が容易な無線装置及びアンテナ共用器を提供することにある。
【０００８】
【課題を解決するための手段】
【０００９】本発明の無線装置は下記の構成を主旨とする。
筐体とアンテナ共用器を備え、前記アンテナ共用器からケーブルで外部のアンテナに接続する無線装置において、前記アンテナ共用器は、アンテナ共用機能部と、前記アンテナ共用機能部を１つに収納するシールドケースと、前記アンテナに接続するための第１コネクタと、前記無線装置に接続するための第２コネクタを備えると共に、前記筐体の中に固定され、前記第１コネクタは、前記シールドケースの１つの面に設置され、前記第２コネクタは、前記１つの面以外の箇所に設置され、前記筐体は、前記第１コネクタを前記筐体の外部に露出させる開口部を備える。
【００１０】前記無線装置は複数のアンテナに接続され、前記アンテナ共用器は、前記複数のアンテナの全てに前記開口部から露出した第１コネクタを介して接続されると共に、前記アンテナ共用機能部として少なくとも１つのアンテナで無線の送受を共用するための送信用帯域通過フィルタ及び受信用帯域通過フィルタを備え、前記第１コネクタは、前記開口部から突出するようにする。
【００１１】本発明のアンテナ共用器は下記の構成を主旨とする。
１つ或いは複数のアンテナで無線の送受を共用するために無線装置に搭載されるアンテナ共用器において、アンテナ共用手段と、スルー手段と、前記アンテナ共用手段及び前記スルー手段を１つに収納するシールドケースと、前記アンテナに接続するための第１コネクタと、前記無線装置に接続するための第２コネクタと、を備え、
前記スルー手段は前記第１及び第２コネクタを直結し、前記第１コネクタは、前記シールドケースの１つの面に設置され、前記第２コネクタは、前記１つの面以外の箇所に設置される。
【００１２】
【発明の実施の形態】＜実施例１＞本実施例は、アンテナ共用器を携帯電話用の無線基地局装置に応用したものである。図１は本実施例のアンテナ共用器（ＤＵＰユニット）およびその周辺回路ブロック図であり、無線基地局装置のＲＦ部を想定している。図２は本実施例のアンテナ共用器（ＤＵＰユニット）の内部ブロック図である。図１において、１はＤＵＰユニット、２は筐体、３１は主アンテナ、３２は副アンテナであり、筐体２を挟んで右側が筐体外部、左側が筐体内部である。ＤＵＰユニット１の筐体側の面には、ＡＮＴ０コネクタ１２０、ＴＸ−ＭＯＮコネクタ１２１、ＡＮＴ１コネクタ１２２、ＬＮＡ０コネクタ１２３、ＬＮＡ１コネクタ１２４が設けられ、筐体の開口部から筐体外部に露出させることで、アンテナからのケーブルを筐体外で着脱可能にしている。またＤＵＰユニット１は送信用帯域通過フィルタ１０１、受信用帯域通過フィルタ１０２、１０３を備える。送信用帯域通過フィルタ１０１と受信用帯域通過フィルタ１０２の通過帯域は重ならず、互いの通過帯域に対しては十分遮断されるようになっており、アンテナ共用器として機能する。
【００１３】次に図１における信号の流れを説明する。図１において、４は無線周波及び中間周波で増幅などを行うＴＲＸ−ＬＮＡ、５はベースバンド信号をデジタル処理するＢＢ−ＭＡＩＮ、６はアンテナ付近に設置される外付けＬＮＡ、７は大出力仕様用のＡＭＰユニットである。外付けＬＮＡ６は、通常高所に設置されるアンテナと地上に設置される無線基地局装置本体とを結ぶケーブルによる損失が問題になる場合に設置され、微弱な受信信号を長いケーブル長による減衰を受ける前に増幅するものである。以下、外付けＬＮＡ６を使用しないことを前提に説明する。主アンテナ３１はケーブルでＤＵＰユニット１のＡＮＴ０コネクタ１２０に接続される。主アンテナ３１からの受信信号は受信用帯域通過フィルタ１０２を通過してＴＲＸ−ＬＮＡ部４へ出力される。ＴＲＸ−ＬＮＡ部４では内蔵ＬＮＡで増幅を行う。また送信信号は、ＴＲＸ−ＬＮＡ４が備える小電力仕様ＡＭＰ部若しくはＡＭＰユニット７の出力がＤＵＰユニット１に入力され、送信用帯域通過フィルタ１０１を通過しＡＮＴ０コネクタ１２０から主アンテナ３１へ送出される。
【００１４】また本実施例では、空間ダイバーシティ用の副アンテナ３２を備えており、アンテナ３２からの受信信号は受信用帯域通過フィルタ１０３を通過してＴＲＸ−ＬＮＡ部４へ出力される。
【００１５】一方、外付けＬＮＡ６を用いる場合、外付けＬＮＡ６内部にアンテナ共用器の機能を備えているので、受信用帯域通過フィルタ１０２、１０３は不要になる。外付けＬＮＡ６からの受信信号はＬＮＡ０コネクタ１２３、ＬＮＡ１コネクタ１２４を介して一旦ＤＵＰユニット１内に導かれ、スルー１０４、１０５を夫々通過してＴＲＸ−ＬＮＡ４へ出力される。ＴＲＸ−ＬＮＡ４では前記内蔵ＬＮＡの代わりにアッテネータで利得を調整された後、スイッチにより内蔵ＬＮＡからの信号とどちらか一方が選択されて後続の回路に接続される。また送信信号は、外付けＬＮＡ６を用いない場合と同様にＤＵＰユニット１に入力され、ＡＮＴ０コネクタ２１０から外付けＬＮＡ６に出力され、外付けＬＮＡ６が備えるアンテナ共用器を通過して主アンテナ３１に送出される。
【００１６】次に図２を用いてＤＵＰユニットを詳述する。１０６、１０７はカプラ、１０８、１０９はインピーダンス整合用の抵抗、１２１は出力モニタ用の信号を出力するＴＸ−ＭＯＮコネクタ、１１０はアンテナ共用器を１つに収納するシールドケースである。ＴＲＸ−ＬＮＡ４からの送信信号は図中のＴＸコネクタに入力され、カプラ１０６で取り出された信号は、出力レベル検出用のＭＯＮＢコネクタに出力される。その信号は更にカプラ１０７で取り出されてＭＯＮコネクタ１２１に出力される。このような構成により、ＴＸコネクタに入力される送信信号との結合量はＭＯＮＢコネクタよりＴＸ−ＭＯＮコネクタ１２１の方が（例えば１０ｄＢ）小さくなっている。またスルー１０４、１０５は、両者の特性がそろえられ、一方でＴＸコネクタに入力される送信信号との結合量は十分小さく押さえられており、ユニット構造により安定した特性が得られる。
【００１７】図３は、本実施例の無線基地局装置の全体構成図である。８はＢＢ−ＭＡＩＮと共にベースバンド処理を分担するＢＢ−ＳＵＢ、９は呼処理制御、上位装置とのインターフェース、保守監視などの制御を行うＣＮＴ−ＬＩＵ、１０は電源を供給するＰＳカードである。ＴＲＸ−ＬＮＡ４、ＢＢ−ＭＡＩＮ５、ＢＢ−ＳＵＢ８、ＣＮＴ−ＬＩＵ９はカード状になっており、ＳＷＢ（サイドワイヤードボード）１１を介して他のカードと電気的に接続され筐体２に収容される。また、これらのカード、ユニットはファンカード１２により強制空冷される。
【００１８】筐体２の背面側（後方）には設置用金具が設けられている。ＤＵＰユニット１は筐体２内の仕切りを挟んでカードと並行に筐体２の背面側に収容されるが、バックボードに接続されない分サイズが左右方向に大きくとれる。またＤＵＰユニット１の下面には、ＡＮＴ０コネクタ１２０などのアンテナへ接続するための同軸コネクタが全て取り付けられ、その他の上面、側面などに、筐体内部で配線するための同軸コネクタが設けられている。ＤＵＰユニットの下方では筐体が開口しており、ＤＵＰユニットに接続したケーブルを設置面に沿って直接、筐体外に引き出せるようになっている。
【００１９】本実施例によれば、外付けＬＮＡ６の使用／不使用に関わらず共通のＤＵＰユニットを使用し、無線基地局装置からアンテナへの接続の全てがＤＵＰユニットを経由するようにしたので、部品品種を削減できるほか、配線が簡素化し、筐体内部の配線を変更することなく筐体外に露出したコネクタへの接続を切り替えるだけで外付けＬＮＡ６に対応できるので、組立て、保守が容易になる。
【００２０】＜実施例２＞本実施例は、外付けＬＮＡ６使用時用のコネクタを省略し、残りのコネクタを筐体に設けた穴から筐体外に突出させた点で、実施例２と異なる。図４は本実施例の無線基地局装置の外観図である。
【００２１】
【発明の効果】本発明によれば、アンテナ共用器のコネクタを直接装置外部に出すようにしたので、配線による損失、部品点数を低減できるほか、生産性、保守性が向上する効果がある。
【図面の簡単な説明】
【図１】本発明の実施例１におけるアンテナ共用器およびその周辺回路のブロック図。
【図２】本発明の実施例１におけるアンテナ共用器の内部ブロック図。
【図３】本発明の実施例１における無線基地局装置の全体構成図。
【図４】本発明の実施例２における無線基地局装置の外観図。
【符号の説明】
１    ＤＵＰユニット
１２０  ＡＮＴ０コネクタ
１２２  ＡＮＴ１コネクタ
２    筐体
３１  主アンテナ
３２  副アンテナ
４    ＴＲＸ−ＬＮＡ
５    ＢＢ−ＭＡＩＮ
６    外付けＬＮＡ
７    ＡＭＰユニット
８    ＢＢ−ＳＵＢ
９    ＣＮＴ−ＬＩＵ
１０  ＰＳカード
【図１】
2004235840.tif 000003
【図２】
2004235840.tif 000004
【図３】
2004235840.tif 000005
【図４】
2004235840.tif 000006